(57)【要約】【課題】運動性を損なうことなく、身体の姿勢又は動かし方を正しく導くことが可能なタイツを提供する。【解決手段】着用時に伸縮性を有するタイツであって、高い伸縮性を有する伸縮部１と、伸縮部１よりも伸縮性が低い低伸縮部とから構成し、低伸縮部は、ウエスト部Ａに環状に形成された環状部２と、大腿部Ｂの外側から膝蓋部Ｃより上を経由して下腿部Ｄ内側に至る位置に設けられた第一帯状部３と、大腿部Ｂの内側から膝蓋部Ｃより上で第一帯状部３と交差し、下腿部Ｄの外側に至る位置に設けられた第二帯状部４とからなり、第一帯状部３は、第二帯状部４よりも伸縮性が低くなるように形成し、環状部２に第一帯状部３及び第二帯状部４が接続された構成とする。【選択図】図１
2004232157.tif 000002
【特許請求の範囲】
【請求項１】
着用時に伸縮性を有するタイツであって、前記タイツは、高い伸縮性を有する伸縮部と、伸縮部よりも伸縮性が低い低伸縮部とから構成され、前記低伸縮部が、ウエスト部の全周にわたって環状に設けられたことを特徴とするタイツ。
【請求項２】
前記低伸縮部が、伸縮性の異なる複数の領域から構成されたことを特徴とする請求項１記載のタイツ。
【請求項３】
前記低伸縮部は、後部中央領域と、その他領域とからなり、後部中央領域は、その他領域よりも伸縮性が低くなるように形成されたことを特徴とする請求項２記載のタイツ。
【請求項４】
前記低伸縮部は、腹部領域と、後部中央領域と、両側部領域とからなり、腹部領域及び後部中央領域は、両側領域よりも伸縮性が低くなるように形成されたことを特徴とする請求項２記載のタイツ。
【請求項５】
前記後部中央領域は、ウエスト部から仙骨部位にかけて形成されたことを特徴とする請求項３又は４記載のタイツ。
【請求項６】
人体のウエストラインから踝上方までの体表面に密着して着用される、伸縮性を有するタイツであって、前記タイツは、高い伸縮性を有する伸縮部と、伸縮部よりも伸縮性が低い低伸縮部とから構成され、前記低伸縮部は、大腿部外側から膝蓋部より上を経由して下腿部内側に至る位置に設けられた第一帯状部と、大腿部内側を通り、膝蓋部より上で第一帯状部と交差し、下腿部外側に至る位置に設けられた第二帯状部とから構成され、第一帯状部は、第二帯状部よりも伸縮性が低くなるように形成されたことを特徴とするタイツ。
【請求項７】
人体のウエストラインから踝上方までの体表面に密着して着用される、伸縮性を有するタイツであって、前記タイツは、高い伸縮性を有する伸縮部と、伸縮部よりも伸縮性が低い低伸縮部とから構成され、前記低伸縮部は、ウエスト部の全周にわたって環状に設けられた環状部と、大腿部外側から膝蓋部より上を経由して下腿部内側に至る位置に設けられた第一帯状部と、大腿部内側を通り、膝蓋部より上で第一帯状部と交差し、下腿部外側に至る位置に設けられた第二帯状部とから構成され、環状部に第一帯状部及び第二帯状部の上端が接続されたことを特徴とするタイツ。
【請求項８】
前記伸縮部及び低伸縮部が異なる編組織からなり、各編組織が丸編みにより一体的に編成されたことを特徴とする請求項１〜７のいずれかに記載のタイツ。
【請求項９】
前記伸縮部が平編みにより編成され、低伸縮部がタック編み及び／又はミス編みにより編成されたことを特徴とする請求項８記載のタイツ。
【発明の詳細な説明】
【０００１】
【発明の属する技術分野】
本発明は、人体の体表面に密着して着用され、直立時又は運動時において、身体を正しい姿勢に導くために好適に使用されるタイツに関するものである。
【０００２】
【従来の技術】
人体にとってよい姿勢を保つことは重要なことであり、姿勢の悪化は、腰痛や膝痛など下半身の障害を引き起こす一因となっている。本発明者が研究を行なった結果、特に、膝、下腿、アキレス腱など足まわりの痛みは、単に静止時の姿勢だけでなく、歩行時やランニング時の身体の動かし方に大きな原因があることを見いだした。
【０００３】
例えば、スポーツ障害の中でも膝痛は多く見られるが、これは膝の曲げ伸ばしを捻るようにして行なっていることが原因であることが多い。しかしながら、障害者自身は、膝を捻っているという自覚がなく、不適切な身体の動かし方を続けることにより、症状が悪化するという問題が生じていた。
【０００４】
従来、スポーツ障害の改善を目的としてテーピング機能を備えた運動用スパッツが知られている。この運動用スパッツは、特許文献１に示すように、所定部分に比較的緊締力の強い部分と比較的緊締力の弱い部分がパターン状に設けられており、これにより、筋肉の伸縮を助長したり、筋肉疲労の軽減や肉離れを予防し、また、靭帯や腱の断裂や損傷を予防するテーピング機能を発揮するというものである。
【０００５】
【特許文献１】
特開２００１−２１４３０３
【０００６】
【発明が解決しようとする課題】
しかしながら、上記運動用スパッツは、単にテーピング機能により筋肉の可動範囲を制限して筋肉への負担を軽減したり、筋肉を保護するものであり、運動性が制限されるとともに、スポーツ障害の原因となる不適切な身体の姿勢や動かし方は改善されないままであるという問題が生じていた。
【０００７】
そこで、本発明は、上記問題に鑑み、運動性を損なうことなく、身体の姿勢又は動かし方を正しく導くことが可能なタイツを提供することを目的とする。
【０００８】
【課題を解決するための手段】
上記目的を達成するため、本発明に係るタイツは、着用時に伸縮性を有するタイツであって、高い伸縮性を有する伸縮部と、伸縮部よりも伸縮性が低い低伸縮部とから構成され、前記低伸縮部が、ウエスト部の全周にわたって環状に設けられたことを特徴とする。
【０００９】
上記伸縮部及び低伸縮部は、共に着用時に身体の動きに十分追従することができる伸縮性を備えているが、低伸縮部の方が伸縮部よりも伸縮性が低くなるように設けられている。
【００１０】
したがって、伸縮部と、低伸縮部とが、身体の動きに追従して同じだけ伸ばされた場合、低伸縮部の方により大きな負荷がかかり、人体への抵抗力となって着用者の意識を低伸縮部に向けることが可能となる。そして、タイツ着用者が、正しい姿勢をとったときに、抵抗力が最小になるように低伸縮部を形成することで着用者の姿勢を正しく導くことが可能となる。
【００１１】
上記構成のタイツの場合、低伸縮部はウエスト部の全周に環状に設けられているため、腰椎を伸ばした状態が最も抵抗力が小さくなる。したがって、着用者自身が意識して抵抗力が最小になるように身体を動かすことにより、腰椎が伸びた正しい姿勢に導くことが可能となる。
【００１２】
ここで、ウエスト部とは、上がおおよそウエストラインまで、下が腰椎と仙骨の境目あたりを通るライン（腰骨の最も張り出した部分を結ぶラインに相当）までの間に含まれる環状部分を意味する。
【００１３】
上記伸縮部や低伸縮部を構成する伸縮性素材の伸縮性は、一定負荷をかけたときの伸長度によって評価することができる。ここで、伸長度とは、元の試料の長さをａ、伸ばした状態での試料の長さをｂとすると、［（ｂ−ａ）／ａ］×１００で表わされる値である。
【００１４】
低伸縮部の伸縮性については、特に限定されないが、タイツのベースとなる伸縮部の伸長度を１としたときに、０．４０〜０．８０となるように形成するのが好ましく、さらに０．５０〜０．７０の範囲がより好ましい。
【００１５】
上述のように、本発明に係るタイツは、着用時において伸縮性を有しており、運動性が確保される点で、従来のコルセットのように腰椎を伸ばした状態で固定するものとはその作用効果が異なるものである。
【００１６】
腰椎が曲がると、腰椎部位にあたるタイツの後部中央領域が伸びてその部分の抵抗力が大きくなる。着用者は、この抵抗力の変化を知覚して正しい姿勢になるように身体を動かすことになる。したがって、腰椎の伸ばしたときと、曲げたときの抵抗力の変化が大きいほど姿勢の変化を知覚するのが容易となる。
【００１７】
腰椎を伸ばしたときと、曲げたときとで、抵抗力の変化を大きくするには、低伸縮部の素材として、できるだけ伸縮性が低く、少しの伸びで抵抗力が大きく増加するものを使用すればよいが、低伸縮部全体の抵抗力を大きくすると、ウエスト部における運動性が低下するおそれが生じる。
【００１８】
そこで、本発明においては、低伸縮部を、抵抗力の異なる複数の領域から構成するようにした。具体的には、低伸縮部を、後部中央領域と、その他領域とで構成し、後部中央領域がその他領域よりも伸縮性が低くなるように形成した。
【００１９】
上記構成によれば、後部中央領域の伸縮性がその他領域よりも伸縮性が低いため、姿勢の変化を知覚しやすく、しかも、その他領域における伸縮性が後部中央領域よりも大きいため、ウエスト部における運動性を損なうおそれがない。
【００２０】
また、低伸縮部として、腹部領域、後部中央領域及び両側部領域から構成し、腹部領域及び後部中央領域が、両側部領域よりも伸縮性が低くなるように形成することも可能である。上記構成によれば、腰椎が曲がることによって前方にせり出そうとする腹部に抵抗力がはたらくため、より確実に腰椎が伸びた正しい姿勢に導くことが可能となる。
【００２１】
後部中央領域は、ウエスト部に形成すればよいが、さらに下方の仙骨部位にまで延設するのが好ましい。すなわち、腰椎の下端は仙骨に接続されており、腰椎が曲がるときには、その下の仙骨も曲がった状態となる。したがって、後部中央領域を、ウエスト部から仙骨部位にかけて形成すれば、腰椎下部及び仙骨両方の部位で姿勢の変化を感知することが可能となり、より感度よく姿勢の矯正を行なうことができる。
【００２２】
なお、上記タイツは、少なくともウエスト部を備えておればよく、脚部における長さは、股下、膝上、膝下までのいずれの長さとしてもよいし、脚部全体を包むものであってもよい。
【００２３】
本発明においては、腰椎だけでなく、脚部の姿勢を正しく導くことが可能である。すなわち、人体のウエストラインから踝上方までの体表面に密着して着用される、伸縮性を有するタイツであって、前記タイツは、高い伸縮性を有する伸縮部と、伸縮部よりも伸縮性が低い低伸縮部とから構成され、低伸縮部は、大腿部外側から膝蓋部より上を経由して下腿部内側に至る位置に設けられた第一帯状部と、大腿部内側を通り、膝蓋部より上で第一帯状部と交差し、下腿部外側に至る位置に設けられた第二帯状部とから構成され、第一帯状部は、第二帯状部よりも伸縮性が低くなるように形成されたことを特徴とする。
【００２４】
上記構成によれば、大腿部から踝上方にかかる脚部の両側部位に第一帯状部と第二帯状部とを膝蓋部より上で交差するように配しているため、つま先を前に向けて膝をまっすぐに伸ばした状態が最も抵抗力が小さくなる。したがって、Ｏ脚やＸ脚を含めた脚部の姿勢を改善することが可能となる。なお、踝上方とは、ふくらはぎと踝との間の部分を意味しており、この位置まで両帯状部を形成することで、つま先の捻れを検知することが可能となる。
【００２５】
さらに、上記タイツにおいて特徴的な点は、第二帯状部よりも第一帯状部の伸縮性が低くなるように形成された点にあり、これにより、運動時における膝の捻れを知覚することができる。すなわち、膝の曲げ伸ばし時に膝が捻れると、一方の帯状部の抵抗力が大きくなって捻れを知覚することが可能となる。
【００２６】
この膝の捻れを自覚することで足の動かし方を修正することが可能となり、膝等にかかる負担を軽減してスポーツ障害を改善又は予防することができる。
【００２７】
第一帯状部の伸縮性を低くすることで捻れを知覚することが可能になる理由については不明であるが、大腿部外側部の方が内側部よりも筋肉が発達しているという人体構造的要因によるものと考えられる。いずれにしても、第一帯状部の方の伸縮性を低くすることで、第一帯状部と第二帯状部の両方の抵抗力をバランスよく知覚することができる。したがって、両者の抵抗力のバランスの崩れを感知することで捻れを知覚することが可能となる。
【００２８】
第一帯状部は、第二帯状部よりも伸縮性が低くなるように形成すればよいが、具体的な値については伸縮部とのバランスを見ながら実際にタイツを試作し、着用してみて決定すればよい。一般的には、第二帯状部の伸長度を１としたとき、第一帯状部の伸長度が０．３０〜０．７０の範囲に設定するのが好ましく、０．４０〜０．６０の範囲がより好ましい。
【００２９】
また、本発明では、人体のウエストラインから踝上方までの体表面に密着して着用される、伸縮性を有するタイツであって、前記タイツは、高い伸縮性を有する伸縮部と、伸縮部よりも伸縮性が低い低伸縮部とから構成され、低伸縮部は、ウエスト部の全周にわたって環状に設けられた環状部と、大腿部外側から膝蓋部より上を経由して下腿部内側に至る位置に設けられた第一帯状部と、大腿部内側を通り、膝蓋部より上で第一帯状部と交差し、下腿部外側に至る位置に設けられた第二帯状部とから構成され、環状部に第一帯状部及び第二帯状部の上端が接続された構成を採用することもできる。
【００３０】
上記構成によれば、脚部とウエスト部との間に捻れが生じると、帯状部における抵抗力が大きくなることから、骨盤の捻れを知覚することが可能となる。また、環状部と、帯状部とを接続することにより、腰から大腿四頭筋、足首までにかかる抵抗力を一つのラインとして知覚することができる。
【００３１】
したがって、股関節の動きを安定させ、下半身全体の姿勢を正しく導くことが可能となり、スポーツ障害の予防のみならず、着用者の運動能力の向上を図ることが可能となる。なお、脚部の姿勢を正しく導くためのタイツは、少なくともウエストラインから踝上方までの長さを備えておればよく、脚部全体を包むものであってもよい。
【００３２】
タイツは、別素材からなる伸縮部と低伸縮部とを接合して形成することも可能であるが、伸縮部及び低伸縮部を異なる編組織から構成し、各編組織を丸編みにより一体的に編成すれば、伸縮部及び低伸縮部の伸縮性を任意に設定することができる。したがって、体型に応じたタイツを提供することが可能となる。
【００３３】
各編組織を丸編みにより編成する場合、伸縮部を平編みによって編成し、低伸縮部をタック編み及び／又はミス編みにより編成するのが好ましい。低伸縮部をタック編みで編成すれば、ウェール方向（編組織のタテ方向）の伸縮性を低くすることができ、ミス編みで編成すると、コース方向（編組織のヨコ方向）の伸縮性を低くする（パワーを上げる）ことができる。また、低伸縮部をタック編みとミス編みとの組合せによって編成すれば、ウェール方向及びコース方向の両方向の伸縮性を低くすることができる。
【００３４】
本発明に係るタイツは、運動性を阻害しない範囲で、正しい姿勢をとったときから適度な抵抗力が作用するように低伸縮部を形成することができる。このように適度な抵抗力を作用させることで、正しい姿勢の維持を容易に行なうことができる。特に、Ｏ脚やＸ脚の矯正のように自力で正しい姿勢をとるのが困難な場合に特に効果的である。
【００３５】
【発明の実施の形態】
以下、図面を基に本発明の実施形態について説明するが、本発明では、低伸縮部がどの位置に形成されているかを説明するために、人体の筋肉の名称を用いている部分があるため、まず、人体の筋肉について説明する。
【００３６】
図３は、人体下半身の前面側から見た筋肉図であり、図４は人体下半身の後面側から見た筋肉図である（共に同朋舎出版発行「ワーズ・ワード」から抜粋）。図中、２１は大腿筋膜張筋、２２は外側広筋、２３は大腿直筋、２４は内側の腓腹筋、２５はひらめ筋、２６は大内転筋、２７は薄筋、２８は内側広筋、２９は長腓骨筋をそれぞれ示す。
【００３７】
図１及び２は、本発明に係るタイツの実施形態を示す図であり、図１はタイツ正面図を、図２はタイツ背面図をそれぞれ示す。本タイツは、ウエストラインから踝上方までの長さに形成されており、高い伸縮性を有する伸縮部１と、伸縮部１よりも伸縮性が低い低伸縮部とから構成されている。
【００３８】
低伸縮部は、ウエスト部Ａを含むように環状に形成された環状部２と、腹部Ｈの側方部を通り、大腿部Ｂの外側から膝蓋部Ｃより上を経由して下腿部Ｄ内側に至る位置に設けられた第一帯状部３と、腹部Ｈの中央部を通り、股部Ｅで分岐した後、大腿部Ｂの内側を通って膝蓋部Ｃより上で第一帯状部３と交差し、下腿部Ｄの外側にいたる位置に設けられた第二帯状部４とから構成されており、環状部２、第一帯状部３及び第二帯状部４以外の領域は伸縮部１によって構成されている。第一帯状部３は、第二帯状部４よりも伸縮性が低くなるように形成されている。
【００３９】
上記第一帯状部３および第二帯状部４の形成位置について、図３および４を基に人体の筋肉の名称を用いて説明すると、タイツ着用時において、第一帯状部３は上端が腰骨部位の環状部２（後述する腹部領域２ａ）に接続されており、腹部Ｈの側方部、大転子部位、大腿筋膜張筋２１部位、及び外側広筋２２部位を通り、膝蓋部Ｃの上方（膝蓋部Ｃと大腿直筋２３との間の部位）を経由して、内側の腓腹筋２４の内側部位を通り、ひらめ筋２５部位に至る位置に形成されている。
【００４０】
第二帯状部４は、上端が腹部Ｈ中央の環状部２（後述する腹部領域２ａ）に接続されており、そのまま腹部Ｈの中央部を通ってタイツ股部Ｅまで一本のラインとして形成され、股部Ｅで左右二本のラインに分岐し、それぞれのラインは大内転筋２６部位及び内側広筋２８部位を通り、膝蓋部Ｃの上方（膝蓋部Ｃと大腿直筋２３との間の部位）で第一帯状部３と交差し、長腓骨筋２９部位に至る位置に形成されている。
【００４１】
第一帯状部３と第二帯状部４とが交差する交差部Ｆは、第一帯状部３の組織が使用されており、第二帯状部４は不連続に形成されている。これにより、第一帯状部３における抵抗力の変化を感度よく知覚することが可能となる。
【００４２】
環状部２は、腹部領域２ａ、後部中央領域２ｂ及び両側部領域２ｃからなり、腹部領域２ａ及び後部中央領域２ｂは、両側領域２ｃよりも伸縮性が低くなるように形成されている。
【００４３】
腹部領域２ａは、環状部２のうち、左右腰骨よりも前面側の領域であり、おおよそウエストラインから左右の腰骨下部を結ぶラインの間に形成された帯状の領域である。左右腰骨よりも背面側の後部領域には、腰椎部位を中心に所定幅で後部中央領域２ｂが形成され、その両側に両側部領域２ｃが形成されている。すなわち、伸縮性の低い腹部領域２ａ及び後部中央領域２ｂの間に、両者よりも伸縮性の高い両側領域２ｃが介在した構造とされている。
【００４４】
後部中央領域２ｂ及び両側部領域２ｃは、腹部領域２ａのような帯状領域ではなく、ウエストラインと、左右の第一帯状部と、仙骨下部Ｇから左右の外側広筋２２の下端部位を結ぶ逆Ｖ字形ラインとの間の広い領域に形成されており、臀部Ｉのほとんどの領域を覆う構成とされている。
【００４５】
上記領域内において、後部中央領域２ｂは後部領域の中央を中心として後部領域全幅の約１／２の幅で形成されており、残りの領域が両側部領域２ｃとされている。これにより腰椎下部及び仙骨が後部中央領域２ｂによってカバーされる。
【００４６】
本実施形態では、タイツの腹部Ｈに、第一帯状部及び第二帯状部が形成されているため、臀部Ｉにも広範囲にわたって後部中央領域２ｂ及び両側部領域２ｃを形成することで骨盤の前後でバランスよく抵抗力がかかるようにしている。これにより、骨盤が正常な状態のときに最も抵抗力が小さくなり、腰椎や脚部のみならず骨盤の姿勢を正しく導くことが可能となる。
【００４７】
上述のごとく、本実施形態では、第一帯状部３、腹部領域２ａ及び後部中央領域２ｂが同じ伸縮性となるように形成され、また、第二帯状部４及び両側領域２ｃが同じ伸縮性となるように形成され、前者の伸縮性が後者よりも低く設定されている。
【００４８】
しかしながら、上記設定のみならず、第一帯状部３は第二帯状部４よりも伸縮性が低く、腹部領域２ａ及び後部中央領域２ｂは両側領域２ｃよりも伸縮性が低いという基本的な関係を保持する範囲内であれば、下半身全体にかかる抵抗力のバランスを考慮しつつ、それぞれの伸縮性を変更することが可能である。
【００４９】
【実施例】
以下、本発明に係るタイツを実施例を挙げてさらに詳細に説明するが、本発明は本実施例に限定されるものではない。
【００５０】
［タイツの作製］
本実施例においては、丸編み機を使用して上記実施形態における構成のタイツを作製した。すなわち、編み組織として、伸縮部１を構成する第１編組織と、第二帯状部４及び両側領域２ｃを構成する第２編組織と、第一帯状部３、腹部領域２ａ及び後部中央領域２ｂを構成する第３編組織の３種類を用い、各編組織を一体的に編成してタイツを作製した。各編組織の内容を表１に示す。
【００５１】
【表１】
2004232157.tif 000003
【００５２】
表１に示すように、丸編み機は、２種類の糸を供給可能なものを使用し、１種類目の糸で１コース編成した後、２種類目の糸で次のコースを編成し、これを交互に繰り返すようにした。
【００５３】
具体的には、１種類目の糸として、７０ｄ（デニール）／３４ｆ（フィラメント）のウーリーナイロン糸を単独で用い、２種類目の糸としては、４０ｄ／１３ｆのウーリーナイロン糸と、３０ｄのポリウレタン糸に３０ｄのナイロン糸を巻き付けたシングルカバードヤーン（ＳＣＹ）とを併用した。そして、１番目の糸を使用するときは、平編み又はタック編みを行い、２番目の糸を使用するときは平編み又はミス編みを行うようにした。
【００５４】
図５〜７は、各編組織の組織図である。図５に示すように、第１編組織は、１コースごとに糸をかえて編成した平編み組織となる。第２編組織は、図６に示すように、１番目の糸による１：１タック編みと、２番目の糸による２：２ミス編みとの交編組織となる。また、図７に示すように、第３編組織は、１番目の糸による１：１タック編みと、２番目の糸による２：３：１：２ミス編みとの交編組織となる。
【００５５】
したがって、１番目の糸を用いるコース内において、編み組織が、第１編組織→第２編組織→第１編組織→第３編組織と変化する場合は、平編み→１：１タック編み→平編み→１：１タック編みと、編み方が変化することになる。
【００５６】
２番目の糸を用いるコース内において、編み組織が、第１編組織→第２編組織→第１編組織→第３編組織と変化する場合は、平編み→２：２ミス編み→平編み→２：３：１：２ミス編みと、編み方が変化することになる。以上の編み方により、３種類の編組織からなるタイツを作製した。
【００５７】
［伸縮性の評価］
上記タイツにおける編組織の伸縮性を評価した。評価方法としては、各編組織をタテ１０ｃｍ以上×ヨコ２．５ｃｍの大きさにカットし、つかみ間隔を１０ｃｍとして、引張速度３０ｃｍ／ｍｉｎで引張り、負荷が９．８Ｎかかったときの伸長度を測定した。表２にその結果を示す。
【００５８】
【表２】
2004232157.tif 000004
【００５９】
表２に示すように、各編組織の伸長度の比は、第一編組織：第二編組織：第三網組織＝１：０．５８：０．３０となり、各編組織間に適度な伸縮性の差が存在することが確認された。
【００６０】
［着用テスト］
本実施例で作製したタイツを用いて着用テストを行なった。比較材としては、タイツ全体を上記第１編組織のみで編成したものを使用した。その結果、被験者の官能評価では、本実施例のタイツは、直立姿勢において脚部、骨盤及び腰椎が伸びた正しい姿勢のときが最も抵抗力が少なく、姿勢が悪化するにつれて抵抗力が増加することが確認された。これにより、本実施例のタイツは、姿勢を正しく導くことが可能であることが確認された。一方、比較材においては、上記効果は全く見られなかった。
【００６１】
次に、タイツ着用時の歩行テストを行なった。その結果、本実施例のタイツは比較材に比べて、足が出しやすく、膝の曲げ伸ばしが楽であり、歩くときの膝の左右の揺れが少ないという評価となった。さらに、上り坂の歩行テストを行なった後、筋肉に蓄積された乳酸量を測定したところ、比較材よりも本実施例のタイツの方が乳酸量は少なくなっていた。すなわち、実施例のタイツの方が疲れにくく、疲労軽減効果が認められた。
【００６２】
また、Ｏ脚、Ｘ脚、膝痛、下腿痛、アキレス腱痛、足底腱膜炎、中足骨痛、股関節周囲痛の各症状を有する被験者に本実施例のタイツを着用してもらい、一定期間、日常生活した後の評価では、いずれも症状の改善効果が見られたが、比較材ではそのような効果は確認されなかった。
【００６３】
本発明は、上記実施形態に限定されるものではなく、本発明の範囲内で多くの修正、変更を加えることができるのはもちろんである。例えば、タイツの形態としては、下半身にのみ着用されるものに限らず、上半身部まで一体的に形成されたものであってもよい。
【００６４】
【発明の効果】
以上の説明から明らかなように、本発明によると、高い伸縮性を有する伸縮部と、伸縮部よりも伸縮性が低い低伸縮部とからタイツを構成し、低伸縮部をウエスト部の全周にわたって環状に設けたため、腰椎が伸びた正しい姿勢に導くことが可能となる。
【００６５】
また、低伸縮部を、大腿部外側から膝蓋部より上を経由して下腿部内側に至る位置に設けられた第一帯状部と、大腿部内側から膝蓋部より上で第一帯状部と交差し、下腿部外側に至る位置に設けられた第二帯状部とから構成し、第一帯状部は、第二帯状部よりも伸縮性が低くなるように形成すれば、脚部を正しい姿勢に導くことが可能となり、さらに歩行時やランニング時に正しく足の動かすことが可能となり、これにより膝等にかかる負担を軽減してスポーツ障害を改善又は予防することができる。
【００６６】
また、低伸縮部として、上記環状部、第一帯状部及び第二帯状部を設け、環状部に第一帯状部及び第二帯状部の上端を接続すれば、骨盤の捻れを知覚することが可能となり、環状部及び帯状部それぞれの効果と相俟って、下半身全体の姿勢を正しく導くことが可能となり、スポーツ障害の予防のみならず、着用者の運動能力の向上を図ることができる。
【図面の簡単な説明】
【図１】本発明に係るタイツの正面図
【図２】上記タイツの背面図
【図３】人体下半身の前面側から見た筋肉図
【図４】人体下半身の後面側から見た筋肉図
【図５】第１編組織の組織図
【図６】第２編組織の組織図
【図７】第３編組織の組織図
【符号の説明】
１      伸縮部
２      環状部
２ａ    腹部領域
２ｂ    後部中央領域
２ｃ    両側領域
３      第一帯状部
４      第二帯状部
２１      大腿筋膜張筋
２２      外側広筋
２３      大腿直筋
２４      内側の腓腹筋
２５      ひらめ筋
２６      大内転筋
２７      薄筋
２８      内側広筋
２９      長腓骨筋
Ａ      ウエスト部
Ｂ      大腿部
Ｃ      膝蓋部
Ｄ      下腿部
Ｅ      股部
Ｆ      交差部
Ｇ      尾骨部位
【図１】
2004232157.tif 000005
【図２】
2004232157.tif 000006
【図３】
2004232157.tif 000007
【図４】
2004232157.tif 000008
【図５】
2004232157.tif 000009
【図６】
2004232157.tif 000010
【図７】
2004232157.tif 000011